(57)【要約】【課題】通常とは異なる複雑な操作に比べ、電源オフの操作を簡便に行うことができる画像形成装置などを提供する。【解決手段】画像形成装置１００は、画像を形成する画像形成部６２と、画像形成部６２に、電源が供給された状態と、電源が遮断された状態と、のいずれかに切り替える電源供給切替部２０と、ユーザによって操作されると信号を出力するスイッチ部３０と、スイッチ部３０が出力する信号を検出して、電源供給切替部２０に対して電源オフ信号を送信するスイッチ検出部４０と、スイッチ部の出力する信号を受信して、正常に動作している状態である場合に、電源オフ信号を無効にする信号又は電源オフ信号の送信を阻止する信号を送信する制御部５０と、を備える。【選択図】図１
2017011643.tif 000002
【特許請求の範囲】
【請求項１】
画像を形成する画像形成部と、
前記画像形成部を、電源が供給された状態と、電源が遮断された状態と、のいずれかに切り替える電源供給切替部と、
ユーザによって操作されると信号を出力するスイッチ部と、
前記スイッチ部が出力する前記信号を検出して、前記電源供給切替部に対して電源オフ信号を送信するスイッチ検出部と、
前記スイッチ部の出力する前記信号を受信して、正常に動作している状態である場合に、前記電源オフ信号を無効にする信号又は前記電源オフ信号の送信を阻止する信号を送信する制御部と
を備える画像形成装置。
【請求項２】
前記電源供給切替部は、前記制御部を、電源が供給された状態と、電源が遮断された状態と、のいずれかに切り替えることを特徴とする請求項１に記載の画像形成装置。
【請求項３】
接続される負荷を、電源が供給された状態と、電源が遮断された状態と、のいずれかに切り替える電源供給切替部と、
ユーザによって操作されると信号を出力するスイッチ部と、
前記スイッチ部が出力する前記信号を検出して、前記電源供給切替部に対して電源オフ信号を送信するスイッチ検出部と、
前記スイッチ部の出力する前記信号を受信して、正常に動作している状態である場合に、前記電源オフ信号を無効にする信号又は前記電源オフ信号の送信を阻止する信号を送信する制御部と
を備える電源装置。
【請求項４】
前記電源供給切替部は、前記制御部に対して、電源が供給された状態と、電源が遮断された状態と、のいずれかに切り替えることを特徴とする請求項３に記載の電源装置。
【請求項５】
前記スイッチ検出部は、前記信号を検出すると計時を開始する計時回路を備え、
前記計時回路が、前記開始した計時が予め定められた規定時間を経過すると、前記電源供給切替部に対して、前記電源オフ信号を送信する
ことを特徴とする請求項３又は４に記載の電源装置。
【請求項６】
前記制御部が送信する前記電源オフ信号を無効にする信号は、前記電源供給切替部に対して送信されることを特徴とする請求項５に記載の電源装置。
【請求項７】
前記制御部が送信する前記電源オフ信号の送信を阻止する信号は、前記計時回路に対して送信されることを特徴とする請求項５に記載の電源装置。
【発明の詳細な説明】
【技術分野】
【０００１】
本発明は、画像形成装置及び電源装置に関する。
【背景技術】
【０００２】
特許文献１には、情報処理装置のＣＰＵへ電源を供給する電源回路と、この電源回路を制御する電源制御回路と、前記電源のオン又はオフ命令を前記電源制御回路に対して供給するスイッチとを有し、前記電源制御回路は、前記スイッチから供給されたオン又はオフ命令の入力を条件として所定のプログラムに基づいて前記電源をオン又はオフに制御し、あるいは、所定のリセット信号の入力によって前記電源をオフするものであり、さらに、前記スイッチからの前記オン又はオフ命令の供給が所定の基準時間継続した時に、所定の入力信号が所定の状態であることを条件として前記リセット信号を生成するリセット信号生成回路とを有する電源制御装置が記載されている。
【先行技術文献】
【特許文献】
【０００３】
【特許文献１】特開２０１３−２０６３６９号公報
【発明の概要】
【発明が解決しようとする課題】
【０００４】
商用電源との断続を行うスイッチを備えず、商用電源にプラグをつなぐことで、電源が供給される画像形成装置などの装置において、装置を制御するプロセッサ（ＣＰＵ）が正常な動作状態であるにも関わらず、緊急用の電源オフの操作が行われると、停止のための処理（シャットダウン処理）が行われないまま、電源オフ（電源の遮断）が実行されてしまうことがある。このような場合、電源オフ前の設定値が保持されないために、再起動後に設定値を設定し直すことが必要とされる。また、最悪の場合には、データの破損などにより、再起動ができないことが起こり得る。
これを抑制するため、緊急用の電源オフの操作には、スイッチの通常より長い押し下げ（長押し）と継続した操作や、複数のスイッチの並行操作など通常と異なる複雑な操作が求められている。
本発明は、通常とは異なる複雑な操作に比べ、電源オフの操作を簡便に行うことができる画像形成装置などを提供する。
【課題を解決するための手段】
【０００５】
請求項１に記載の発明は、画像を形成する画像形成部と、前記画像形成部を、電源が供給された状態と、電源が遮断された状態と、のいずれかに切り替える電源供給切替部と、ユーザによって操作されると信号を出力するスイッチ部と、前記スイッチ部が出力する前記信号を検出して、前記電源供給切替部に対して電源オフ信号を送信するスイッチ検出部と、前記スイッチ部の出力する前記信号を受信して、正常に動作している状態である場合に、前記電源オフ信号を無効にする信号又は前記電源オフ信号の送信を阻止する信号を送信する制御部とを備える画像形成装置である。
請求項２に記載の発明は、前記電源供給切替部は、前記制御部を、電源が供給された状態と、電源が遮断された状態と、のいずれかに切り替えることを特徴とする請求項１に記載の画像形成装置である。
請求項３に記載の発明は、接続される負荷を、電源が供給された状態と、電源が遮断された状態と、のいずれかに切り替える電源供給切替部と、ユーザによって操作されると信号を出力するスイッチ部と、前記スイッチ部が出力する前記信号を検出して、前記電源供給切替部に対して電源オフ信号を送信するスイッチ検出部と、前記スイッチ部の出力する前記信号を受信して、正常に動作している状態である場合に、前記電源オフ信号を無効にする信号又は前記電源オフ信号の送信を阻止する信号を送信する制御部とを備える電源装置である。
請求項４に記載の発明は、前記電源供給切替部は、前記制御部に対して、電源が供給された状態と、電源が遮断された状態と、のいずれかに切り替えることを特徴とする請求項３に記載の電源装置である。
請求項５に記載の発明は、前記スイッチ検出部は、前記信号を検出すると計時を開始する計時回路を備え、前記計時回路が、前記開始した計時が予め定められた規定時間を経過すると、前記電源供給切替部に対して、前記電源オフ信号を送信することを特徴とする請求項３又は４に記載の電源装置である。
請求項６に記載の発明は、前記制御部が送信する前記電源オフ信号を無効にする信号は、前記電源供給切替部に対して送信されることを特徴とする請求項５に記載の電源装置である。
請求項７に記載の発明は、前記制御部が送信する前記電源オフ信号の送信を阻止する信号は、前記計時回路に対して送信されることを特徴とする請求項５に記載の電源装置である。
【発明の効果】
【０００６】
請求項１の発明によれば、通常とは異なる複雑な操作を行う場合に比べ、電源オフの操作を簡便に行うことができる。
請求項２の発明によれば、電源供給切替部を介して制御手段に電源を供給しない場合に比べて、消費電力が抑制できる。
請求項３の発明によれば、通常とは異なる複雑な操作を行う場合に比べ、電源オフの操作を簡便に行うことができる。
請求項４の発明によれば、電源供給切替部を介して制御手段に電源を供給しない場合に比べて、消費電力が抑制できる。
請求項５の発明によれば、計時回路を備えない場合に比べ、ユーザの意図しないスイッチ部の操作による電源オフが抑制できる。
請求項６の発明によれば、計時回路に電源オフ信号の送信を阻止する信号を送信する場合に比べ、計時回路が簡易になる。
請求項７の発明によれば、電源供給切替部に無効信号が送信される場合に比べて、電源供給切替部の構成が簡易になる。
【図面の簡単な説明】
【０００７】
【図１】本実施の形態における画像形成装置の概要を示す図である。
【図２】図１で示した画像形成装置の一つの具体例（実施例１）を説明する図である。
【図３】画像形成装置の電源プラグが商用電源の供給されたコンセントに差し込まれた（接続された）場合における電源供給のフローの一例を説明するフローチャートである。
【図４】スタンバイモードにおいて、ユーザによってスイッチが操作された（押し下げられた）場合における電源供給のフローの一例を説明するフローチャートである。
【図５】図１で示した画像形成装置の他の具体例（実施例２）を説明する図である。
【図６】図２で示した画像形成装置の変形例を説明する図である。
【発明を実施するための形態】
【０００８】
以下、添付図面を参照して、本発明の実施の形態について詳細に説明する。
ここでは、画像形成装置を一例として説明する。
【０００９】
（画像形成装置１００）
図１は、本実施の形態における画像形成装置１００の概要を示す図である。
この画像形成装置１００は、スキャン機能、プリント機能、コピー機能及びファクシミリ機能を備えた所謂複合機である。
【００１０】
画像形成装置１００は、商用電源に接続され電力を供給する電源部１０、電源部１０からの電源の供給と遮断とを切り替える電源供給切替部２０、ユーザにより操作されるスイッチ部３０、スイッチ部３０の動作を検出するスイッチ検出部４０、演算などを実行して画像形成装置１００を制御する制御部５０、及び、制御部５０により制御されて画像形成などの機能を実行する機能部６０を備えている。
なお、電源部１０、電源供給切替部２０、スイッチ部３０、スイッチ検出部４０、制御部５０を電源装置と表記することがある。このとき、機能部６０は、電源装置の負荷である。
【００１１】
まず、電源部１０などの各部について説明する。
電源部１０は、商用電源から供給される交流を直流に変換する整流回路などを備えている。出力される直流は、例えば、電圧が５Ｖなどの低圧系及び／又は２４Ｖなどの高圧系であってもよい。ここでは、５Ｖなどの低圧系として説明する。
【００１２】
電源供給切替部２０は、後述する電源オン／オフ信号又は電源遮断信号を受信して電源部１０から電源を供給又は遮断する。
ここでは、電源部１０からの電力（電圧、電流）の供給を電源の供給（電源オン）と、電力の供給を停止することを電源の遮断（電源オフ）と表記することがある。
【００１３】
スイッチ部３０は、例えば、モーメンタリ型のスイッチなど、ユーザが指でボタンを押し下げている間だけオンになり、ユーザが指をボタンから離すとオフになるスイッチを含んで構成されている。すなわち、このスイッチ部３０は、ユーザが指で押すとオンに移行し、指を離してもオンが保持され、再度押すとオフに移行するという、オルタネイトスイッチとは異なるスイッチで構成されている。
【００１４】
スイッチ検出部４０は、スイッチ部３０の動作（操作されたこと）を検出し、予め定められた処理を実行する。
【００１５】
制御部５０は、いわゆる算術演算及び論理演算を実行するプロセッサを含んで構成され、画像形成装置１００の電源供給切替部２０及び機能部６０を制御する。
【００１６】
機能部６０は、例えば、スキャン機能、プリント機能、コピー機能及びファクシミリ機能を用いた動作に関連する指示を受け付けるとともに、ユーザに対してメッセージを表示するユーザインタフェース（User Interface）部６１（以下では、ＵＩ部６１と表記する。）、紙等の記録媒体に画像を形成する画像形成部６２、紙等の記録媒体に記録された画像を読み取る画像読取部６３、通信回線（不図示）を介して外部に設けられた端末装置（不図示）、ファクシミリ装置（不図示）及びサーバ装置（不図示）との間でデータの送受信を行う送受信部６４などを備えている。
なお、機能部６０は、ＵＩ部６１、画像形成部６２、画像読取部６３、送受信部６４の全てを備えていることを要せず、一部を備えていてもよい。
【００１７】
ここでいう機能部６０は、機能を実現する部材を制御する部分をいう。例えば、機能部６０におけるＵＩ部６１は、タッチパネル付の表示画面などを制御する部分をいう。すなわち、タッチパネルから信号を受信して制御部５０に信号を送信したり、制御部５０から信号（命令）を受信して表示画面に表示するための信号を送信したりする部分をいう。なお、機能部６０は、制御する部分以外を含んでいてもよい。
【００１８】
この画像形成装置１００では、画像読取部６３によって制御され画像読取を実現する部材によってスキャン機能が行われ、画像形成部６２によって制御され画像形成を実現する部材によってプリント機能が行われ、送受信部６４によって制御され送受信を実現する部材によって通信機能が行われる。そして、画像読取を実現する部材と画像形成を実現する部材とによってコピー機能が行われ、画像読取を実現する部材と画像形成を実現する部材と送受信を実現する部材とでファクシミリ機能が行われる。
【００１９】
次に、電源部１０などの各部の接続関係を説明する。なお、図１では、電源が供給される経路である電源供給線を、太線で表記している。そして、信号の経路である信号線を矢印付の細線で記載し、一部に信号の名称を付記している。
【００２０】
まず、電源供給線について説明する。
電源部１０は、電源供給切替部２０の入力端子（図１におけるＩｎ）及びスイッチ検出部４０に電源供給線で接続されている。
よって、画像形成装置１００が商用電源に接続されると、電源部１０で変換された直流が電源供給切替部２０及びスイッチ検出部４０に供給される。つまり、画像形成装置１００の電源プラグが、商用電源の供給されたコンセントに差し込まれる（接続される）と、電源供給切替部２０及びスイッチ検出部４０に電源が供給される。
【００２１】
電源供給切替部２０の出力端子（図１におけるＯｕｔ）は、制御部５０及び機能部６０に電源供給線で接続されている。つまり、制御部５０及び機能部６０は、電源供給切替部２０を介して、電源が供給される。
【００２２】
次に、信号線を説明する。
スイッチ部３０は、スイッチ信号が送信される信号線にて、スイッチ検出部４０及び制御部５０に接続されている。スイッチ部３０が動作する（操作される）と、スイッチ部３０からスイッチ信号が、スイッチ検出部４０及び制御部５０に送信される。
また、スイッチ検出部４０は、電源オン／オフ信号が送信される信号線にて、電源供給切替部２０に接続されている。
【００２３】
そして、制御部５０は、電源オフ信号を無効にする無効信号が送信される信号線と、電源遮断信号が送信される信号線にて、電源供給切替部２０に接続されている。
制御部５０が正常な動作状態である場合、制御部５０は、スイッチ部３０が操作されたことを示すスイッチ信号を受信すると、電源供給切替部２０に対して、無効信号を送信する。その後、制御部５０は、正常に停止処理（シャットダウン処理）を完了した場合、電源供給切替部２０に対して、電源遮断信号を送信する。無効信号及び電源遮断信号については、後述する。
【００２４】
さらに、電源供給切替部２０は、電源状態信号が送信される信号線にて、出力端子（Ｏｕｔ）から制御部５０に接続された電源供給線に接続されている。電源状態信号は、電源供給切替部２０の出力端子（Ｏｕｔ）から電源が供給されているか否かを示す信号である。
【００２５】
そして、制御部５０と機能部６０とは、制御信号が送受信される信号線にて接続されている。この信号線では、制御部５０から機能部６０に対して、機能部６０を制御する信号（命令）が送信され、機能部６０から制御部５０に対して、機能部６０からの応答や状態を示す信号が送信される。ここでは、これらの信号を制御信号と表記する。
【００２６】
以上説明したように、本実施の形態の画像形成装置１００では、制御部５０が、電源供給切替部２０及び機能部６０を制御する。すなわち、画像形成装置１００全体の制御が、制御部５０によって行われる。このようにすることで、複数の制御部（プロセッサなど）を設けることを要せず、コストが削減される。
【００２７】
（実施例１）
図２は、図１で示した画像形成装置１００の具体例（実施例１）を説明する図である。
ここでは、図１における電源部１０が、電源回路１１で構成されている。電源供給切替部２０が、電界効果トランジスタＦＥＴ及び抵抗Ｒ１で構成された電源供給スイッチ回路２１と、保持回路２２とで構成されている。
そして、スイッチ部３０がモーメンタリ型のスイッチ３１及び抵抗Ｒ２で構成されている。スイッチ検出部４０が計時回路４１（タイマ回路４１）を含んで構成されている。制御部５０がプロセッサであるＣＰＵ（Central Processing Unit）で構成されている。
【００２８】
電源供給切替部２０の電源供給スイッチ回路２１において、電界効果トランジスタＦＥＴのゲート（Ｇ）と保持回路２２とが、電源制御信号（ＦＥＴオン／オフ信号）が送信される信号線にて、接続されている。
電界効果トランジスタＦＥＴをオンにするＦＥＴオン信号が、保持回路２２から電界効果トランジスタＦＥＴのゲートに出力されると、電界効果トランジスタＦＥＴがオンになって、電源回路１１から機能部６０及び制御部５０のＣＰＵに電源が供給される。
一方、電界効果トランジスタＦＥＴをオフにするＦＥＴオフ信号が、保持回路２２から電界効果トランジスタＦＥＴのゲートに出力されると、電界効果トランジスタＦＥＴがオフになって、電源回路１１から機能部６０及び制御部５０のＣＰＵに対して、電源が遮断（切断）される（電源オフになる）。
例えば、ＦＥＴオン信号は、電源回路１１が供給する電源電位（「Ｈ」）であって、ＦＥＴオフ信号は、基準電位（接地（ＧＮＤ）、「Ｌ」）である。
【００２９】
なお、抵抗Ｒ１は、電界効果トランジスタＦＥＴのオフ状態を維持するバイアス抵抗である。
【００３０】
保持回路２２は、Ｄタイプフリップフロップ回路などと同様なラッチ機能を有し、電界効果トランジスタＦＥＴのゲートの電位を保持（記憶）する回路である。すなわち、ＦＥＴオン信号を出力したら、次に、ＦＥＴオフ信号を出力する指示を受信するまで、ＦＥＴオン信号を出力し続ける。同様に、ＦＥＴオフ信号を出力したら、次に、ＦＥＴオン信号を出力する指示を受信するまで、ＦＥＴオフ信号を出力し続ける。
【００３１】
保持回路２２は、Ｄタイプフリップフロップ回路などラッチ機能を有する集積回路（ＩＣ）で構成されてもよく、個別のトランジスタなどで構成されてもよい。ここでは、保持回路２２は、個別のトランジスタなどで構成されているとする。
【００３２】
スイッチ３１は、一方の端子が、基準電位（接地（ＧＮＤ）、「Ｌ」）に設定されている。そして、他方の端子は、電源回路１１が供給する電源電位（「Ｈ」）に、抵抗Ｒ２を介して接続されている。
よって、モーメンタリ型であるスイッチ３１から出力されるスイッチ信号は、スイッチ３１が押されていないと「Ｈ」であって、スイッチ３１が押されていると「Ｌ」になる。そして、離されると「Ｈ」に戻る。
【００３３】
スイッチ検出部４０では、スイッチ部３０からスイッチ信号が送信される信号線が分岐され、一方がタイマ回路４１に接続され、他方がタイマ回路４１を経由することなく（迂回して）保持回路２２に接続されている。そして、タイマ回路４１は、電源オフ信号が送信される信号線にて、保持回路２２に接続されている。タイマ回路４１を経由しないで（迂回して）保持回路２２に接続される信号線には、スイッチ信号が電源オン信号となって送信される。
【００３４】
タイマ回路４１は、スイッチ信号が「Ｌ」である期間を検出（カウント）し、予め定められた期間が経過する（予め定められたカウント値に達する）と、電源オフ信号を、電源供給切替部２０の保持回路２２に送信する。言い換えると、スイッチ信号が「Ｌ」の期間は、ユーザがスイッチ３１を押し下げている期間である。
後述するように、タイマ回路４１が送信する電源オフ信号は、ＣＰＵが動作していない場合など、緊急の場合に送信される信号であるので、緊急電源オフ信号と表記することがある。
【００３５】
なお、電源供給切替部２０から制御部５０のＣＰＵ及び機能部６０に電源が供給されていない場合には、スイッチ信号が「Ｌ」になると、電源オン信号として、保持回路２２に送信される。保持回路２２は、受信する電源状態信号によって、電源供給切替部２０から制御部５０のＣＰＵ及び機能部６０に電源が供給されていないこと（電源が遮断されていること）を検知する。この場合、保持回路２２はＦＥＴオフ信号を送信しているので、保持回路２２は、ＦＥＴオフ信号を出力していることによっても、電源供給切替部２０から制御部５０のＣＰＵ及び機能部６０に電源が供給されていないこと（電源が遮断されていること）を検知しうる。
【００３６】
（画像形成装置１００の動作）
ここでは、画像形成装置１００の動作を、電源の供給を中心として説明する。
まず、画像形成装置１００の電源プラグが商用電源の供給されたコンセントに差し込まれた（接続された）場合における電源供給のフローを、図２を参照しつつ、説明する。
【００３７】
ここでは、画像形成装置１００は、少なくともスタンバイ状態（スタンバイモード）とプラグインオフ状態（プラグインオフモード）の電源モードを備えているとする。なお、他に省エネルギモードなどを備えていてもよい。
【００３８】
スタンバイモードとは、図２に示した画像形成装置１００において、電源供給切替部２０の電源供給スイッチ回路２１の電界効果トランジスタＦＥＴがオンであって、電源供給切替部２０、スイッチ部３０、スイッチ検出部４０、制御部５０及び機能部６０に電源が供給され、画像形成などの機能が実行できる準備完了状態（スタンバイ状態）にあることをいう。
一方、プラグインオフモードとは、図２に示した画像形成装置１００において、電源供給切替部２０の電源供給スイッチ回路２１の電界効果トランジスタＦＥＴがオフであって、電源供給切替部２０、スイッチ部３０、スイッチ検出部４０には電源が供給されているが、制御部５０及び機能部６０には、電源が供給されていない状態にあることをいう。
画像形成装置１００は、商用電源の断続を行うスイッチ（電源スイッチ）を備えないため、商用電源が供給されたコンセントに画像形成装置１００のプラグが差し込まれた状態であるプラグインオフモードが電源遮断（電源オフ）状態となる。
なお、省エネルギモードとは、例えば、ＵＩ部６１でユーザのタッチパネルに対する操作を受け付ける機能、又は／及び、送受信部６４で通信を受け付ける機能を動作状態に維持し、他の機能を停止状態とするものであって、スタンバイモードに比べて、消費する電力（エネルギ）が小さい状態をいう。
【００３９】
図３は、画像形成装置１００の電源プラグが商用電源の供給されたコンセントに差し込まれた（接続された）場合における電源供給のフローの一例を説明するフローチャートである。
商用電源のコンセントに画像形成装置１００の電源プラグが差し込まれる（接続される）（ステップ１１。図３では、Ｓ１１と表記する。以下同様とする。）。
すると、図２に示したように、電源供給切替部２０の保持回路２２及びスイッチ検出部４０のタイマ回路４１に電源が供給される（ステップ１２）。このとき、保持回路２２は、電界効果トランジスタＦＥＴに対して、ＦＥＴオフ信号を出力する。よって、電界効果トランジスタＦＥＴはオフとなり、制御部５０のＣＰＵ及び機能部６０には電源が供給されない。
【００４０】
ユーザによりスイッチ３１が操作される（押し下げられる）（ステップ１３におけるＹｅｓの場合）と、スイッチ信号が「Ｈ」から「Ｌ」に移行する。すると、スイッチ信号は、電源オン信号として、スイッチ検出部４０のタイマ回路４１を経由しない（迂回する）信号線にて、保持回路２２に送信される。
すると、保持回路２２は、スイッチ信号が「Ｈ」から「Ｌ」に移行したことを保持（記憶）する（ステップ１４）とともに、電界効果トランジスタＦＥＴに対して、ＦＥＴオン信号を出力する（ステップ１５）。なお、保持回路２２は、ユーザによるスイッチ３１の押し下げが停止し、スイッチ信号が「Ｌ」から「Ｈ」に戻っても、電界効果トランジスタＦＥＴに対して、ＦＥＴオン信号を出力し続ける。つまり、保持回路２２は、スイッチ信号が「Ｈ」から「Ｌ」に移行したことを保持（記憶）する機能（ラッチ機能）を有している。
【００４１】
電界効果トランジスタＦＥＴがオンになると、制御部５０のＣＰＵ及び機能部６０に電源が供給される（ステップ１６）。
これにより、制御部５０のＣＰＵ及び機能部６０が起動する（ステップ１７）。
そして、画像形成装置１００は、画像形成などの機能が実行できる準備完了状態（スタンバイ状態）、すなわちスタンバイモードに移行する。
【００４２】
以上説明したように、画像形成装置１００の電源プラグが商用電源の供給されたコンセントに差し込まれ、ステップ１３において、ユーザによりスイッチ３１が操作される（押し下げられる）（Ｙｅｓの場合）と、保持回路２２は、スイッチ３１が操作されたことを保持（記憶）し、ＦＥＴオン信号を出力し続ける。
なお、ステップ１３において、ユーザがスイッチ３１を操作しない（押し下げない）（Ｎｏの場合）と、保持回路２２は、スイッチ３１が操作されていないことを保持（記憶）し、ＦＥＴオフ信号を出力し続ける。この場合も、保持回路２２は、スイッチ信号を保持することになる。
すなわち、保持回路２２は、スイッチ３１の操作の有無を保持する機能を有している。
【００４３】
次に、スタンバイモードにおいて、ユーザによりスイッチ３１が操作された（押し下げられた）場合における電源供給のフローを、図２を参照しつつ説明する。
図４は、スタンバイモードにおいて、ユーザによってスイッチ３１が操作された（押し下げられた）場合における電源供給のフローの一例を説明するフローチャートである。
【００４４】
スタンバイモードであるので、保持回路２２は、電界効果トランジスタＦＥＴにＦＥＴオン信号を出力し続けている。これにより、制御部５０のＣＰＵには、電源が供給されている。
ユーザによりスイッチ３１が操作される（押し下げられる）（ステップ２１）と、スイッチ信号が「Ｈ」から「Ｌ」に移行する。すると、図２に示すように、「Ｌ」に移行したスイッチ信号がタイマ回路４１、保持回路２２、ＣＰＵに送信される。
タイマ回路４１は、「Ｈ」から「Ｌ」に移行したスイッチ信号を受信すると、計時（カウント）を開始する。
保持回路２２は既にＦＥＴオン信号を出力しているので、保持回路２２が「Ｈ」から「Ｌ」に移行したスイッチ信号（電源オン信号）を受信しても、電源オン信号として機能しない。
【００４５】
次に、ＣＰＵが正常な動作状態にあるか、停止又はハングアップなどの異常な動作状態にあるかによって、分岐する（ステップ２２）。
ここで、ＣＰＵが異常な動作状態でなく、正常な動作状態であれば（ステップ２２におけるＮｏの場合）、図２に示すように、ＣＰＵが「Ｈ」から「Ｌ」に移行したスイッチ信号を受信し、保持回路２２に対して、無効信号を送信する（ステップ２３）。
なお、無効信号とは、タイマ回路４１が保持回路２２に対して送信する電源オフ信号（緊急電源オフ信号）を無効にする信号をいう。
【００４６】
そして、ＣＰＵにより、機能部６０におけるＵＩ部６１の表示画面に、ユーザに次に行う処理を選択させるための選択画面が表示される（ステップ２４）。選択画面は、少なくとも電源の遮断（電源オフ）に移行するか否か（電源オフの指示）の選択肢を含んでいる。なお、他の選択肢、例えば、省エネルギモードに移行するか否かを選択する選択肢を含んでいてもよい。
【００４７】
そして、ＣＰＵにより、ユーザによる電源オフの指示であるか否か判断される（ステップ２５）。ステップ２５にて、否定（Ｎｏ）の判断がされた場合、すなわち、他の選択肢が指示された場合には、他の選択肢に設定された処理が実行される。ここでは、他の選択肢に設定された処理についての説明を省略する。
一方、ステップ２５にて、肯定（Ｙｅｓ）の判断がされた場合、すなわち、ユーザによる電源オフの指示である場合には、ＣＰＵによるシャットダウン処理が実行される（ステップ２６）。
そして、シャットダウン処理の実行が終了した後に、ＣＰＵから保持回路２２に対して、電源遮断信号が送信される（ステップ２７）。
すると、保持回路２２から、電界効果トランジスタＦＥＴに対して、ＦＥＴオフ信号が出力される（ステップ２８）。
これにより、電界効果トランジスタＦＥＴがオフになり、制御部５０のＣＰＵ及び機能部６０への電源が遮断される（ステップ２９）。
【００４８】
以上説明したように、ステップ２２において、ＣＰＵが正常な動作状態にある場合（Ｎｏの場合）には、ＣＰＵは、ユーザがスイッチ３１を操作した（押し下げた）ことによる、「Ｈ」から「Ｌ」に移行したスイッチ信号を受信して、選択画面の表示や、シャットダウン処理を実行する。すなわち、画像形成装置１００は、予め定められたシャットダウン処理により、正常に停止される。
その後、ＣＰＵ及び機能部６０への電源が遮断される。
なお、後述するように、ＣＰＵがシャットダウン処理などを実行している間に、タイマ回路４１が、保持回路２２に対して、電源オフ信号（緊急電源オフ信号）を送信することがあり得る。しかし、ＣＰＵは、保持回路２２に対して、タイマ回路４１からの電源オフ信号（緊急電源オフ信号）を無効にする無効信号を送信しているので、保持回路２２は、ＦＥＴオフ信号を出力することが阻止される。
【００４９】
一方、ステップ２２において、ＣＰＵが異常な動作状態にある場合（Ｙｅｓの場合）には、タイマ回路４１により、スイッチ信号の「Ｌ」の期間がカウントされ、予め定められた時間（規定時間）以上にわたって「Ｌ」の期間が継続しているか否かが判断される（ステップ３１）。すなわち、ユーザによるスイッチ３１の押し下げ時間が計時される。
ステップ３１において、肯定（Ｙｅｓ）の判断がされた場合、すなわち、タイマ回路４１による期間のカウントが、規定時間を超えると、タイマ回路４１は、保持回路２２に対して、電源オフ信号（緊急電源オフ信号）を送信する。このとき、ＣＰＵは、異常な動作状態にあるため、タイマ回路４１からの電源オフ信号（緊急電源オフ信号）を無効にする無効信号を送信しない。
【００５０】
よって、保持回路２２は、タイマ回路４１からの電源オフ信号（緊急電源オフ信号）を受信すると、電界効果トランジスタＦＥＴに対してＦＥＴオフ信号を出力する（ステップ２８）。
これにより、電界効果トランジスタＦＥＴがオフになり、制御部５０のＣＰＵ及び機能部６０への電源が遮断される（ステップ２９）。
そして、プラグインオフモードに移行する。
【００５１】
以上説明したように、電源供給切替部２０の保持回路２２は、モーメンタリ型の簡易なスイッチ３１の操作（押し下げ）に対応した信号を保持（記憶）するとともに、電源制御信号（ＦＥＴオン／オフ信号）を保持する。
【００５２】
制御部５０のＣＰＵが正常な動作状態の場合には、スイッチ３１が操作（押し下げ）されても、ＣＰＵは、タイマ回路４１が送信する電源オフ信号を無効にする信号を送信するため、直ちに（緊急に）電源が遮断されることが抑制され、シャットダウン処理の後に、電源が遮断される。これにより、設定値が保持されずに電源が遮断されることが抑制され、再起動後に設定値を設定し直すことを要しない。また、直ちに（緊急に）電源の供給が遮断されると、最悪の場合には、ハードディスクドライブ（ＨＤＤ）のクラッシュなどによるデータの破損などが発生しうる。しかし、制御部５０のＣＰＵが正常な動作状態の場合には、スイッチ３１が操作（押し下げ）されても、直ちに（緊急に）電源が遮断されることが抑制され、ハードディスクドライブ（ＨＤＤ）のクラッシュなどが抑制される。
すなわち、誤操作によってスイッチ３１が操作（押し下げ）されても、直ちに（緊急に）電源が遮断されることが抑制される。
また、ユーザによるスイッチ３１の操作（押し下げ）により、ＣＰＵがＵＩ部６１の表示画面に選択画面を表示させることで、ユーザは求める遮断（停止）状態の選択が容易になる。
【００５３】
一方、制御部５０のＣＰＵが異常な動作状態にあれば、スイッチ３１を操作する（規定時間以上、押し下げる）ことで、制御部５０のＣＰＵ及び機能部６０への電源が遮断される。
この場合は、直ちに（緊急に）電源を遮断することが優先される。
【００５４】
なお、図４では、スイッチ３１が規定時間以上押し下げられた状態（「Ｌ」の期間）を維持することが求められる。これは、スイッチ３１への軽い接触など、ユーザが意図しないスイッチ３１の操作による電源の遮断を抑制するためである。よって、この規定時間は、いわゆる緊急用の電源オフの操作に対して求められる長押しと異なり、短い時間であってもよい。ＣＰＵの動作が正常状態であれば、ＣＰＵは無効信号を送信するので、例え短い時間であっても、緊急に電源が遮断されることが抑制される。
【００５５】
換言すれば、規定時間は、正常な動作状態にあるＣＰＵが無効信号を送信する時間より長く設定されていればよい。規定時間が、正常な動作状態にあるＣＰＵが無効信号を送信する時間より短い時間であると、ＣＰＵが無効信号を送信する前に、タイマ回路４１から電源オフ信号（緊急電源オフ信号）が保持回路２２に送信され、保持回路２２からＦＥＴオフ信号が電界効果トランジスタＦＥＴに送信されて電源が遮断されてしまうことになる。すなわち、ＣＰＵが正常な動作状態にあるにも関わらず、シャットダウン処理などを行うことなく、強制的に電源が遮断されることになる。
【００５６】
よって、スイッチ検出部４０におけるタイマ回路４１は、正常な状態にあるＣＰＵが無効信号を送信できる期間以上に、遅延時間が設定された遅延線であってもよい。
また、正常な動作状態にあるＣＰＵが、無効信号を直ちに送信する場合には、規定時間を設けなくともよい。
【００５７】
以上説明したように、本実施の形態における画像形成装置１００では、商用電源の断続を行う電源スイッチを設けることなく、モーメンタリ型の簡易なスイッチ３１を一つ設けることで、画像形成装置１００の電源の制御が簡便に行える。
よって、画像形成装置１００のコストの低減が図れる。
【００５８】
なお、本実施の形態では、ＣＰＵが電源供給スイッチ回路２１から電源を供給されるとした。しかし、保持回路２２やタイマ回路４１のように、ＣＰＵが、電源供給スイッチ回路２１を経由せず、電源回路１１から電源が供給されるようにしてもよい。
この場合、プラグインオフモードにおいても、ＣＰＵには、電源が供給されるため、本実施の形態で説明した場合に比べ、電力の消費が多くなる。
【００５９】
（実施例２）
実施例２では、実施例１の一部の回路を一体化された集積回路にて構成している。
図５は、図１で示した画像形成装置１００のさらに他の具体例（実施例２）を説明する図である。
ここでは、図２で示した実施例１のスイッチ検出部４０のタイマ回路４１と電源供給切替部２０の保持回路２２とを、プログラマブルロジックデバイスの一種であるＣＰＬＤ（Complex Programmable Logic Device）７１で構成している。そして、電源供給スイッチ回路２１とＣＰＬＤ７１とで電源供給切替部７０を構成している。
【００６０】
ＣＰＬＤの代わりに、他のプログラマブルロジックデバイスであるＰＡＬ（Programmable Array Logic）、ＦＰＧＡ（Field-Programmable Gate Array）や、ＡＳＩＣ（Application Specific Integrated Circuit）で構成されていてもよい。
【００６１】
他の構成及び動作は、実施例１と同様であるので、説明を省略する。
【００６２】
（変形例）
実施例１では、制御部５０のＣＰＵは、無効信号を電源供給切替部２０の保持回路２２に送信し、スイッチ検出部４０のタイマ回路４１から送信される電源オフ信号（緊急電源オフ信号）を無効にした。
これに対して、制御部５０のＣＰＵは、タイマリセット信号をスイッチ検出部４０のタイマ回路４１に送信することで、電源オフ信号（緊急電源オフ信号）が送信されることを阻止するようにしてもよい。
ここでは、実施例１の変形例を説明する。
図６は、図２で示した画像形成装置１００の変形例を説明する図である。
【００６３】
変形例では、ＣＰＵは、タイマ回路４１にタイマリセット信号を送信する。
ＣＰＵは、タイマ回路４１が規定時間に達することを抑制するために、タイマ回路４１のカウント（計時）が規定時間に達する前に、タイマ回路４１に対して、タイマリセット信号を送信する。
これにより、タイマ回路４１のカウント（計時）をリセットし、スイッチ検出部４０のタイマ回路４１から、電源オフ信号（緊急電源オフ信号）が電源供給切替部２０に送信されることを阻止する。
【００６４】
他の構成及び動作は、実施例１と同様であるので、説明を省略する。
なお、図示しないが、変形例は、図１において、無効信号をタイマリセット信号に置き換え、制御部５０からスイッチ検出部４０に送信する構成である。
また、実施例２と同様に、スイッチ検出部４０のタイマ回路４１と電源供給切替部２０の保持回路２２とを、プログラマブルロジックデバイスの一種であるＣＰＬＤ（Complex Programmable Logic Device）で構成してもよい。
【００６５】
以上説明したように、本実施の形態では、画像形成装置１００として説明したが、機能部６０が画像形成部６２などの代わりに他の機能部を負荷として備えてもよい。この場合、電源装置の制御部５０は、電源供給切替部２０（電源供給切替部７０）を制御するとともに、他の機能部を制御するのに用いられるようにしてもよい。
その他、本発明の趣旨に反しない限りにおいて様々な変形を行っても構わない。
【符号の説明】
【００６６】
１０…電源部、１１…電源回路、２０、７０…電源供給切替部、２１…電源供給スイッチ回路、２２…保持回路、３０…スイッチ部、３１…スイッチ、４０…スイッチ検出部、４１…計時回路（タイマ回路）、５０…制御部、６０…機能部、６１…ユーザインタフェース（ＵＩ）部、６２…画像形成部、６３…画像読取部、１００…画像形成装置
【図１】
2017011643.tif 000003
【図２】
2017011643.tif 000004
【図３】
2017011643.tif 000005
【図４】
2017011643.tif 000006
【図５】
2017011643.tif 000007
【図６】
2017011643.tif 000008